(57)【特許請求の範囲】
【請求項１】
物体側から順に、正の屈折力を有する第１レンズ群と、負の屈折力を有する第２レンズ群と、正の屈折力を有する第３レンズ群とからなり、前記第３レンズ群内に開口絞りが配置され、
前記第１レンズ群と前記第３レンズ群とを光軸方向に固定し、前記第２レンズ群を光軸方向に移動させることで無限遠物体から有限距離物体への合焦を行い、
以下の条件を満足することを特徴とする光学系。
１．０    ＜  ｆ１／｜ｆ２｜  ＜  １．５          ・・・（８）
０．７３  ＜  ｜ｆ２｜／ｆ  ＜  ０．８８          ・・・（１）’
０．５    ＜  Ｃｒ３ａｆ／Ｃｒ２ｎｒ  ＜  ２．５  ・・・（２）
但し、
ｆ１      ：前記第１レンズ群の焦点距離
ｆ２      ：前記第２レンズ群の焦点距離
ｆ        ：当該光学系の焦点距離
Ｃｒ３ａｆ：前記第３レンズ群の最も物体側の面の曲率半径
Ｃｒ２ｎｒ：前記第２レンズ群の最も像面側の面の曲率半径
である。
【請求項２】
前記第３レンズ群が以下の条件を満足する請求項１に記載の光学系。
０．５  ＜  ｆ３／ｆ  ＜  １．１  ・・・（３）
但し、
ｆ３：前記第３レンズ群の焦点距離
である。
【請求項３】
前記第３レンズ群の最も物体側の面が以下の条件を満足する請求項１又は請求項２に記載の光学系。
０  ＜  Ｃｒ３ａｆ／ｆ      ・・・（４）
但し、
Ｃｒ３ａｆ：前記第３レンズ群の最も物体側の面の曲率半径
である。
【請求項４】
前記第１レンズ群及び前記第３レンズ群の少なくともいずれか一方のレンズ群は、物体側及び像面側が共に空気との界面を有する、正の屈折力を有する単レンズを少なくとも１枚含み、
以下の条件を満足する請求項１から請求項３のいずれか一項に記載の光学系。
νｄｐｍｉｎ  ＜  ４０．２            ・・・（５）
但し、
νｄｐｍｉｎ：前記第１レンズ群又は前記第３レンズ群に含まれる正の屈折力を有する単レンズであって、最もアッベ数の小さな単レンズのｄ線に対するアッベ数
である。
【請求項５】
前記第２レンズ群が、正の屈折力を有するレンズを少なくとも１枚有する請求項１から請求項４のいずれか一項に記載の光学系。
【請求項６】
前記第２レンズ群が、正の屈折力を有するレンズ１枚と負の屈折力を有するレンズ１枚とから構成される請求項１から請求項５のいずれか一項に記載の光学系。
【請求項７】
前記第２レンズ群を構成する正の屈折力を有するレンズ及び負の屈折力を有するレンズが、以下の条件を満足する請求項６に記載の光学系。
１５  ＜  νｄ２ｎ−νｄ２ｐ  ＜５０  ・・・（６）
但し、
νｄ２ｎ：前記第２レンズ群に含まれる負の屈折力を有するレンズのｄ線に対するアッベ数
νｄ２ｐ：前記第２レンズ群に含まれる正の屈折力を有するレンズのｄ線に対するアッベ数
である。
【請求項８】
前記第１レンズ群が以下の条件を満足する請求項１から請求項７のいずれか一項に記載の光学系。
０．７０  ＜  ｆ１／ｆ  ＜  １．２０  ・・・（７）
【請求項９】
請求項１〜請求項８のいずれか一項に記載の光学系と、当該光学系の像面側に、当該光学系によって形成された光学像を電気的信号に変換する撮像素子とを備えたことを特徴とする撮像装置。
【発明の詳細な説明】
【技術分野】
【０００１】
本件発明は、光学系及び撮像装置に関し、特に、デジタルスチルカメラやデジタルビデオカメラ等の固体撮像素子を用いた撮像装置に好適な光学系及び当該光学系を備えた撮像装置に関する。
【背景技術】
【０００２】
従来より、デジタルスチルカメラ、デジタルビデオカメラ等の固体撮像素子を用いた撮像装置が普及している。特に、近年の撮像光学系の高性能化、小型化等に伴い、小型の撮像システムの普及が急速に進んでいる。
【０００３】
このような小型の撮像システムの光学系として、種々の単焦点光学系が提案されている。例えば、特許文献１には、物体側から順に、正の屈折力を有する前群と、開放絞りと、負の屈折力を有する後群とを備えた焦点距離の比較的長い単焦点光学系が記載されている。一般に、焦点距離の長い望遠レンズでは、焦点距離が長くなるに従って、色収差が多く発生する。そこで、例えば、特許文献１に記載の単焦点光学系では、光路内に回折格子面を配置し、この回折格子により色収差の補正を行うことで、良好な結像性能を得ている。
【先行技術文献】
【特許文献】
【０００４】
【特許文献１】特開２０１４−１０９７００号公報
【発明の概要】
【発明が解決しようとする課題】
【０００５】
しかしながら、特許文献１に記載の光学系は、光学系を構成するレンズの枚数が多く、光学系の小型化が十分に図られていない。また、当該光学系のＦｎｏは２．８よりも大きく、明るさが不足している。近年、小型の撮像システムの光学系では、より一層の小型化が求められると共に、特に、単焦点光学系においてはＦｎｏが２．８より明るい大口径化に対する要望が強い。
【０００６】
本発明の課題は、小型の撮像システムに好適な小型、高性能、且つ、大口径の光学系及び撮像装置を提供することにある。
【課題を解決するための手段】
【０００７】
上記課題を解決するために、本件発明に係る光学系は、物体側から順に、正の屈折力を有する第１レンズ群と、負の屈折力を有する第２レンズ群と、正の屈折力を有する第３レンズ群とからなり、前記第３レンズ群内に開口絞りが配置され、前記第１レンズ群と前記第３レンズ群とを光軸方向に固定し、前記第２レンズ群を光軸方向に移動させることで無限遠物体から有限距離物体への合焦を行い、以下の条件を満足することを特徴とする。
【０００８】
１．０    ＜  ｆ１／｜ｆ２｜  ＜  １．５        ・・・（８）
０．７２  ＜  ｜ｆ２｜／ｆ  ＜  ０．９０        ・・・（１）
０．５  ＜  Ｃｒ３ａｆ／Ｃｒ２ｎｒ  ＜  ２．５  ・・・（２）
【０００９】
但し、
ｆ１      ：前記第１レンズ群の焦点距離
ｆ２      ：前記第２レンズ群の焦点距離
ｆ        ：当該光学系の焦点距離
Ｃｒ３ａｆ：前記第３レンズ群の最も物体側の面の曲率半径
Ｃｒ２ｎｒ：前記第２レンズ群の最も像面側の面の曲率半径
である。  
【００１０】
また、本件発明の撮像装置は、光学系と、当該光学系の像面側に、当該光学系によって形成された光学像を電気的信号に変換する撮像素子とを備えたことを特徴とする。
【発明の効果】
【００１１】
本件発明によれば、小型の撮像システムに好適な小型、高性能、且つ、大口径の光学系及び撮像装置を提供することができる。
【図面の簡単な説明】
【００１２】
【図１】本件発明の実施例１の光学系のレンズ構成例を示す断面図である。
【図２】実施例１の光学系の無限遠合焦時の球面収差図、非点収差図及び歪曲収差図である。
【図３】本件発明の実施例２の光学系のレンズ構成例を示す断面図である。
【図４】実施例２の光学系の無限遠合焦時の球面収差図、非点収差図及び歪曲収差図である。
【図５】本件発明の実施例３の光学系のレンズ構成例を示す断面図である。
【図６】実施例３の光学系の無限遠合焦時の球面収差図、非点収差図及び歪曲収差図である。
【発明を実施するための形態】
【００１３】
以下、本件発明に係る光学系及び撮像装置の実施の形態を説明する。
【００１４】
１．光学系
１−１．光学系の構成
本件発明に係る光学系は、
物体側から順に、正の屈折力を有する第１レンズ群と、負の屈折力を有する第２レンズ群と、正の屈折力を有する第３レンズ群とからなり、第１レンズ群と第３レンズ群とを光軸方向に固定し、第２レンズ群を光軸方向に移動させることで無限遠物体から有限距離物体への合焦を行い、後述する条件式（１）及び条件式（２）で表される条件を満足することを特徴とする。まず、本件発明に係る光学系の光学系の構成について説明する。
【００１５】
本件発明に係る光学系では、最も物体側に配置される第１レンズ群が正の屈折力を有する。このため、第２レンズ群には第１レンズ群により収束された光が入射するため、第２レンズ群を外径の小さなレンズで構成することができ、第２レンズ群の小型化及び軽量化を図ることができる。また、第２レンズ群が負の屈折力を有するため、当該光学系をテレフォトタイプの構成とすることができる。このため、系全体の焦点距離よりもその光学全長を短くすることができ、系全体の小型化を図ることができる。そして、最も像面側に配置される第３レンズ群が正の屈折力を有するため、第３レンズ群において光束を集光することができ、大口径化を図ることができる。すなわち、本件発明によれば、正負正の３群構成を採用することで、小型の撮像システムに好適な小型で大口径の光学系を得ることができる。
【００１６】
また、本件発明では、第１レンズ群と第３レンズ群とを光軸方向に固定し、第２レンズ群を光軸方向に移動させることで無限遠物体から有限距離物体への合焦を行う。合焦群である第２レンズ群は、上述したとおり、第１レンズ群の収束作用により、小型化及び軽量化が図られているため、第２レンズ群を移動させるための負荷が小さく迅速な合焦動作を行わせることができ、且つ、系全体を小型化することができる。以下、各レンズ群の構成について説明する。
【００１７】
（１）第１レンズ群
第１レンズ群は、正の屈折力を有すればよく、その具体的なレンズ構成は特に限定されるものではない。ただし、第１レンズ群及び第３レンズ群のうち、少なくともいずれか一方のレンズ群は、物体側及び像面側が共に空気との界面を有する単レンズを少なくとも１枚含むことが好ましい。
【００１８】
（２）第２レンズ群
第２レンズ群の構成についても、負の屈折力を有し、後述する条件式等を満足するものであれば、その具体的なレンズ構成は特に限定されるものではないが、正の屈折力を有するレンズを少なくとも１枚有することが好ましい。負の屈折力を有する第２レンズ群内に、正の屈折力を有するレンズを少なくとも１枚配置することにより、合焦時における第２レンズ群の移動に伴う色収差の変動を抑制することができ、被写体との距離によらず優れた結像性能を得ることができる。
【００１９】
さらに、第２レンズ群が正の屈折力を有するレンズ１枚と、負の屈折力を有するレンズ１枚とから構成されることが好ましい。第２レンズ群を正負各１枚のレンズから構成することにより、第２レンズ群をより小型及び軽量にすることができ、より迅速な合焦動作を行わせることができる。これと共に、合焦時に当該第２レンズ群を移動させるフォーカス駆動機構への負荷を小さくすることができる。このため、フォーカス駆動機構の小型化及び軽量化を図ることができ、当該光学系及びフォーカス駆動機構等を収容する鏡筒全体の小型化及び軽量化も図ることができる。このとき、第２レンズ群を正の屈折力を有するレンズ１枚と、負の屈折力を有するレンズ１枚とを接合した接合レンズから構成することが好ましい。接合レンズにより第２レンズ群を構成することにより、組み立て時における製造誤差を低減することができ、製造誤差に起因する収差発生を抑制することができる。
【００２０】
（３）第３レンズ群
第３レンズ群は、正の屈折力を有し、後述する条件式等を満足するものであれば、その具体的なレンズ構成は特に限定されるものではない。ただし、上述のとおり、第１レンズ群及び第３レンズ群のうち、少なくともいずれか一方のレンズ群は、物体側及び像面側が共に空気との界面を有する単レンズを少なくとも１枚含むことが好ましい。
【００２１】
また、第３レンズ群の最も像面側の面は、像面側に凸の形状を有することが好ましい。すなわち、当該光学系における最終面を像面側に凸の形状とすることにより、最終面において光束を集光させることができ、当該光学系のレンズ径を大きくすることなく、大口径化を達成することができる。
【００２２】
（４）防振群
本件発明に係る光学系において、上述した第１レンズ群〜第３レンズ群のうち、いずれかのレンズ群の一部を光軸に垂直方向に移動させて、撮像時の振動等に起因する回転ブレ等を補正する防振群として用いてもよい。
【００２３】
（５）開口絞り
本件発明において、開口絞りの位置は特に限定されるものではないが、第３レンズ群内に開口絞りが配置されることが好ましい。このとき、第３レンズ群内において、最も物体側に配置されるレンズと、最も像面側に配置されるレンズとの間に、開口絞りが配置されることが好ましく、第３レンズ群が開口絞りを挟んで、物体側群と、像側群とから構成されることが好ましい。第３レンズ群内において、開口絞りを挟んで、物体側群と、像側群とが配置されるようにすることにより、開口絞りの前後において、軸上光線及び軸外光線のいずれについても発生した収差を打ち消し合わせることが容易になり、高性能な光学系を得ることができる。この場合、物体側群及び像側群の屈折力は特に限定されるものではないが、当該光学系の大口径化を達成する上で、像側群は正の屈折力を有することが好ましい。
【００２４】
１−２．条件式
本件発明に係る光学系は、下記の条件式（１）及び条件式（２）を満足することを特徴とし、条件式（３）〜条件式（９）を満足することが好ましい。以下、各条件式について、順に、説明する。
【００２５】
０．７２  ＜  ｜ｆ２｜／ｆ  ＜  ０．９０        ・・・（１）
０．５  ＜  Ｃｒ３ａｆ／Ｃｒ２ｎｒ  ＜  ２．５  ・・・（２）
【００２６】
但し、
ｆ２      ：第２レンズ群の焦点距離
ｆ        ：当該光学系の焦点距離
Ｃｒ３ａｆ：第３レンズ群の最も物体側の面の曲率半径
Ｃｒ２ｎｒ：第２レンズ群の最も像面側の面の曲率半径
である。  
【００２７】
１−２−１．条件式（１）
上記条件式（１）は、当該光学系の焦点距離に対する第２レンズ群の焦点距離の比を規定する式である。条件式（１）を満足する場合、第２レンズ群の屈折力が適正な範囲内となり、テレフォト比の小さな光学系を得ることができる。すなわち、焦点距離に比して光学全長の小さな小型の光学系を得ることができる。また、合焦群である第２レンズ群の屈折力が適正な範囲内となるため、合焦時の収差変動を抑制し、被写体との距離によらず、少ないレンズ枚数でも良好な結像性能を得ることができ、小型、且つ、高性能な光学系を得ることが容易になる。
【００２８】
これに対して、条件式（１）の値が上限値以上になると、すなわち当該光学系の焦点距離に対して第２レンズ群の焦点距離が大きくなり過ぎると、テレフォト比を小さくすることが困難になる。この場合、光学全長が大きくなり、光学系の小型化を図る上で好ましくない。また、また、条件式（１）の値が下限値以下になると、すなわち当該光学系の焦点距離に対して第２レンズ群の焦点距離が小さくなり過ぎると、合焦群である第２レンズ群の屈折力が大きく、合焦時の位置変化による収差発生量が大きくなる。このため、収差補正に要するレンズ枚数が増加し、良好な結像性能を維持しつつ、当該光学系の小型化を図ることが困難になる。
【００２９】
これらの効果を得る上で、第２レンズ群が下記の条件式（１）’を満足することが好ましく、条件式（１）’’を満足することがより好ましい。
【００３０】
０．７３ ＜ ｜ｆ２｜／ｆ ＜  ０．８８  ・・・（１）’
０．７４ ＜ ｜ｆ２｜／ｆ ＜  ０．８６  ・・・（１）’’
【００３１】
１−２−２．条件式（２）
上記条件式（２）は、第２レンズ群の最も像側の面の曲率半径に対する第３レンズ群の最も物体側の面の比を規定する式である。条件式（２）を満足する場合、各面の曲率半径のバランスが良好であり、サジタルフレア、コマ収差、球面収差等の諸収差を良好に補正することができ、結像性能のより良好な光学系を得ることができる。
【００３２】
これに対して、条件式（２）の値が上限値以上になると、すなわち第２レンズ群の最も像側の面の曲率半径が大きくなり過ぎると、サジタルフレアの補正が困難になり、好ましくない。また、条件式（２）の値が下限値以下になると、すなわち第３レンズ群の最も物体側の面が強の曲率半径が大きくなり過ぎると、コマ収差や球面収差の補正が困難になり、好ましくない。
【００３３】
これらの効果を得る上で、第２レンズ群の最も像側の面と、第３レンズ群の最も物体側の物体側の面とが、下記の条件式（２）’を満足することがより好ましく、条件式（２）’’を満足することがより好ましく、条件式（２）’’’を満足することがさらに好ましい。
【００３４】
０．６  ＜  Ｃｒ３ａｆ／Ｃｒ２ｎｒ  ＜  ２．２  ・・・（２）’
０．７  ＜  Ｃｒ３ａｆ／Ｃｒ２ｎｒ  ＜  １．８  ・・・（２）’’
０．７  ＜  Ｃｒ３ａｆ／Ｃｒ２ｎｒ  ＜  １．５  ・・・（２）’’’
【００３５】
１−２−３．条件式（３）
本件発明に係る光学系において、第３レンズ群が以下の条件を満足することが好ましい。
【００３６】
０．５０  ＜  ｆ３／ｆ  ＜  １．１０  ・・・（３）
但し、
ｆ３：第３レンズ群の焦点距離
である。  
【００３７】
条件式(３)は、本件発明に係る光学系の焦点距離に対する第３レンズ群の焦点距離の比を規定する式である。条件式（３）を満足することにより、当該光学系のより一層の小型化、高性能化を図ると共に、大口径化を達成することができる。
【００３８】
これに対して、条件式（３）の値が上限値以上になると、すなわち当該光学系の焦点距離に対して第３レンズ群の焦点距離が大きくなり過ぎると、光学系の全長が大きくなるため、当該光学系の小型化が困難になる。これと同時に、第３レンズ群で光束を十分に収束させることができず、当該光学系の大口径化を図ることが困難になる。これらの点から、条件式（３）の値が上限値以上になることは好ましくない。また、条件式（３）の数値が下限値以下になると、すなわち当該光学系の焦点距離に対して第３レンズ群の焦点距離が小さくなり過ぎると、球面収差やコマ収差の補正が困難になり、好ましくない。
【００３９】
これらの効果を得る上で、第３レンズ群は、下記の条件式（３）’を満足することが好ましく、条件式（３）’’を満足することがより好ましく、条件式（３）’’’を満足することがさらに好ましい。
【００４０】
０．５５  ＜ ｆ３／ｆ  ＜  １．００  ・・・（３）’
０．６０  ＜ ｆ３／ｆ  ＜  ０．９５  ・・・（３）’’
０．７０  ＜ ｆ３／ｆ  ＜  ０．９０  ・・・（３）’’’
【００４１】
１−２−４．条件式（４）
本件発明に係る光学系において、第３レンズ群の最も物体側の面が以下の条件を満足することが好ましい。
【００４２】
０  ＜  Ｃｒ３ａｆ／ｆ      ・・・（４）
但し、
Ｃｒ３ａｆ：第３レンズ群の最も物体側の面の曲率半径
である。
【００４３】
上記条件式（４）は、当該光学系の焦点距離に対する第３レンズ群の最も物体側の面の曲率半径の比を規定する式である。条件式（４）を満足する場合、第３レンズ群の最も物体側の面が物体側に凸の形状となり、少ないレンズ枚数で球面収差や像面湾曲を良好に補正することができる。このため、小型、且つ、高性能な光学系を得ることが容易になる。
【００４４】
これに対して、条件式（４）の値が下限値以下になると、第３レンズ群の最も物体側の面が平面若しくは物体側に凹の形状となる。この場合、少ないレンズ枚数で球面収差や像面湾曲を良好に補正することが困難になり、良好な結像性能を維持しつつ、当該光学系の小型化を図ることが困難になる。
【００４５】
これらの効果を得る上で、第３レンズ群の最も物体側の面が、下記の条件式（４）’を満足することが好ましく、条件式（４）’’を満足することがより好ましく、条件式（４）’’’を満足することがさらに好ましく、条件式（４）’’’’を満足することが最も好ましい。
【００４６】
０．１０  ＜  Ｃｒ３ａｆ／ｆ  ＜  ２０．００  ・・・（４）’
０．１４  ＜  Ｃｒ３ａｆ／ｆ  ＜  １０．００  ・・・（４）’’
０．２０  ＜  Ｃｒ３ａｆ／ｆ  ＜    ５．００  ・・・（４）’’’
０．２６  ＜  Ｃｒ３ａｆ／ｆ  ＜    ２．００  ・・・（４）’’’’
【００４７】
１−２−５．条件式（５）
本件発明に係る光学系において、第１レンズ群及び前記第３レンズ群の少なくともいずれか一方のレンズ群は、物体側及び像面側が共に空気との界面を有する、正の屈折力を有する単レンズを少なくとも１枚含むとき、以下の条件を満足することが好ましい。
【００４８】
νｄｐｍｉｎ  ＜  ４０．２            ・・・（５）
但し、
νｄｐｍｉｎ：前記第１レンズ群又は前記第３レンズ群に含まれる正の屈折力を有する単レンズであって、最もアッベ数の小さな単レンズのｄ線に対するアッベ数
である。
【００４９】
上記条件式（５）は、第１レンズ群又は第３レンズ群に含まれる正の屈折力を有する単レンズのｄ線に対するアッベ数を規定する式である。正レンズ群に含まれる正の屈折力を有する単レンズが、条件式（５）を満足する場合、倍率色収差を良好に補正することができる。このため、少ないレンズ枚数で結像性能の良好な光学系を得ることができる。ここでいう単レンズとは、物体側及び像面側共に空気と界面を有し、且つ、単一の硝材で構成されたレンズをいい、例えば凸レンズと凹レンズとが接合された接合レンズは含まない。
【００５０】
これに対して、条件式（５）を満足しない場合、倍率色収差の補正が困難になる。このため、収差補正に要するレンズ枚数が増加し、良好な結像性能を維持しつつ、当該光学系の小型化を図ることが困難になる。
【００５１】
１−２−６．条件式（６）
本件発明に係る光学系において、第２レンズ群を構成する正の屈折力を有するレンズ及び負の屈折力を有するレンズが、以下の条件を満足することが好ましい。
【００５２】
１５  ＜  νｄ２ｎ−νｄ２ｐ  ＜  ５０  ・・・（６）
但し、
νｄ２ｎ：前記第２レンズ群に含まれる負の屈折力を有するレンズのｄ線に対するアッベ数
νｄ２ｐ：前記第２レンズ群に含まれる正の屈折力を有するレンズのｄ線に対するアッベ数
である。
【００５３】
上記条件式（６）は、当該光学系の第２レンズ群を構成する負の屈折力を有するレンズ及び正の屈折力を有するレンズのアッベ数の差を規定する式である。条件式（６）を満足する場合、軸上色収差及び倍率色収差を良好に補正することができる。このため、少ないレンズ枚数で結像性能の良好な光学系を得ることができる。
【００５４】
これに対して、条件式（６）を満足しない場合、軸上色収差及び倍率色収差の補正が困難になる。このため、収差補正に要するレンズ枚数が増加し、良好な結像性能を維持しつつ、当該光学系の小型化を図ることが困難になる。
【００５５】
これらの効果を得る上で、当該光学系の第２レンズ群を構成する負の屈折力を有するレンズ及び正の屈折力を有するレンズのアッベ数の差は、下記の条件式（６）’を満足することが好ましい。
１５  ＜  νｄ２ｎ−νｄ２ｐ  ＜  ４２  ・・・（６）’
【００５６】
１−２−７．条件式（７）
本件発明に係る光学系において、第１レンズ群が以下の条件を満足することが好ましい。
【００５７】
０．７０  ＜  ｆ１／ｆ  ＜  １．２０  ・・・（７）
但し、
ｆ１：第１レンズ群の焦点距離
ｆ  ：当該光学系の焦点距離
である。
【００５８】
条件式（７）は、当該光学系の焦点距離に対する第１レンズ群の焦点距離の比を規定する式である。条件式（７）を満足することにより、当該光学系の焦点距離に対する第１レンズ群の焦点距離が適切な範囲内となり、当該光学系の小型化、高性能化を図ると共に、大口径化を達成することができる。
【００５９】
これに対して、条件式（７）の値が上限値以上になると、すなわち第１レンズ群の焦点距離が当該光学系の焦点距離に対して大きくなり過ぎると、光学系の全長が大きくなる共に、周辺光量の確保が困難になり、好ましくない。また、条件式（７）の値が下限値以下になると、すなわち第１レンズ群の焦点距離が当該光学系の焦点距離に対して小さくなり過ぎると、軸上色収差やコマ収差、像面湾曲を補正することが困難になり、良好な結像性能を得ることができず好ましくない。
【００６０】
これらの効果を得る上で、第１レンズ群が、下記の条件式（７）’を満足することが好ましく、条件式（７）’’を満足することがより好ましく、条件式（７）’’’を満足することがさらに好ましい。
０．７８  ＜  ｆ１／ｆ  ＜  １．２０  ・・・（７）’
０．８０  ＜  ｆ１／ｆ  ＜  １．１０  ・・・（７）’’
０．８０  ＜  ｆ１／ｆ  ＜  １．０３  ・・・（７）’’’
【００６１】
１−２−８．条件式（８）
本件発明に係る光学系において、第１レンズ群と第２レンズ群とが以下の条件を満足することが好ましい。
【００６２】
１．０ ＜ ｆ１／｜ｆ２｜ ＜  １．５  ・・・（８）
但し、ｆ１及びｆ２は上記のとおりである。
【００６３】
上記条件式（８）は、当該光学系の第２レンズ群の焦点距離に対する第１レンズ群の焦点距離の比を規定する式である。条件式（８）を満足する場合、小型化と高性能化の両立が図られる。
【００６４】
これに対して、条件式（８）の値が上限値以上になると、第１レンズ群の焦点距離が大きくなり過ぎ、第２レンズ群を構成するレンズの外径を小さくすることが困難になり、第２レンズ群及びフォーカス駆動機構の大型化につながるため好ましくない。条件式（８）の値が下限値以下になると、第１レンズ群の焦点距離が小さくなり過ぎ、近距離物体の合焦距離による球面収差変動が大きくなり好ましくない。
【００６５】
１−２−９．条件式（９）
当該光学系が防振群を備える場合、防振群が以下の条件を満足することが好ましい。この場合、防振時の収差変動を抑制することができ、当該光学系を小型に維持しつつ、防振時も高い結像性能を得ることができる。
【００６６】
０．１  ＜  ｜（１−βｖｃ）×βｒ｜  ＜  ０．８  ・・・・（９）
但し、
防振群とは、光軸に対して垂直方向に移動可能なレンズ群をいうものとし、
βｖｃ ： 無限遠合焦時における防振群の横倍率
βｒ   ： 防振群より像側に位置する全レンズの無限遠合焦時における合成横倍率
である。
【００６７】
２．撮像装置
次に、本件発明に係る撮像装置について説明する。本件発明に係る撮像装置は、上記本件発明に係る光学系と、当該光学系の像面側に設けられた、当該光学系によって形成された光学像を電気的信号に変換する撮像素子とを備えたことを特徴とする。ここで、撮像素子等に特に限定はなく、ＣＣＤセンサやＣＭＯＳセンサなどの固体撮像素子等も用いることができる。本件発明に係る撮像装置は、デジタルカメラやビデオカメラ等のこれらの固体撮像素子を用いた撮像装置に好適である。また、当該撮像装置は、レンズが筐体に固定されたレンズ固定式の撮像装置であってもよいし、一眼レフカメラやミラーレス一眼カメラ等のレンズ交換式の撮像装置であってもよいのは勿論である。
【００６８】
次に、実施例および比較例を示して本件発明を具体的に説明する。但し、本件発明は以下の実施例に限定されるものではない。以下に挙げる各実施例の光学系は、デジタルカメラ、ビデオカメラ、銀塩フィルムカメラ等の撮像装置（光学装置）に用いられる撮像光学系である。また、各レンズ断面図において、図面に向かって左方が物体側、右方が像面側である。
【実施例１】
【００６９】
（１）光学系の構成
図１は、本件発明に係る実施例１の光学系の無限遠合焦時におけるレンズ構成を示すレンズ断面図である。当該光学系は、物体側から順に、正の屈折力を有する第１レンズ群Ｇ１と、負の屈折力を有する第２レンズ群Ｇ２と、正の屈折力を有する第３レンズ群Ｇ３とから構成されている。
【００７０】
第１レンズ群Ｇ１は、物体側から順に、正の屈折力を有するレンズＬ１と、正の屈折力を有するレンズＬ２及び負の屈折力を有するレンズＬ３を接合した接合レンズと、から構成される。
第２レンズ群Ｇ２は、物体側から順に、物体側に凹面を向けた正の屈折力を有するレンズＬ４と、負の屈折力を有する両凹レンズＬ５とを接合した接合レンズにより構成される。
【００７１】
第３レンズ群Ｇ３は、物体側から順に、正の屈折力を有する物体側群Ｇ３ａと、開口絞りＳと、正の屈折力を有する像側群Ｇ３ｂと、から構成される。物体側群Ｇ３ａは、物体側から順に、物体側に凸面を向けた正の屈折力を有するレンズＬ６と、正の屈折力を有するレンズＬ７及び負の屈折力を有する両凹レンズＬ８を接合した接合レンズと、から構成される。像側群Ｇ３ｂは、物体側から順に、負の屈折力を有するレンズＬ９と、正の屈折力を有するレンズＬ１０と、物体側に凹面を向けた負の屈折力を有するレンズＬ１１及び正の屈折力を有するレンズＬ１２を接合した接合レンズと、像側に凸面を向けた正の屈折力を有するレンズＬ１３と、から構成される。
【００７２】
当該実施例１の光学系において、無限遠物体から近距離物体への合焦の際、第１レンズ群Ｇ１と第３レンズ群Ｇ３が光軸方向に固定された状態で、第２レンズ群Ｇ２が光軸に沿って像面ＩＭＧ側に移動する。また、手振れ等により撮像時に振動が発生した時には、防振群として、第３レンズ群Ｇ３の像側群Ｇ３ｂ中のレンズＬ１０を光軸と垂直な方向に動かすことで、像面ＩＭＧ上の像のブレを補正する。なお、第３レンズ群Ｇ３の像側群Ｇ３ｂに含まれるレンズＬ１０を防振群とする代わりに、像側群Ｇ３ｂにおいて最も物体側に配置されるレンズＬ９を防振群としてもよい。また、これらのレンズに限らず第３レンズ群Ｇ３を防振群としても同様な効果が得られる。
【００７３】
なお、図１において、第３レンズ群Ｇ３において、物体側群Ｇ３ａと、像側群Ｇ３ｂとの間に示す「Ｓ」は開口絞りである。また、第３レンズ群Ｇ３の像面側に示す「ＣＧ」はカバーガラスであり、ローパスフィルターや赤外カットフィルター等を表す。また、カバーガラスの像面側に示す「ＩＭＧ」は像面であり、具体的には、ＣＣＤセンサやＣＭＯＳセンサなどの固体撮像素子の撮像面、或いは、銀塩フィルムのフィルム面等を示す。これらの符号等は実施例２及び実施例３で示す各レンズ断面図においても同様である。 
【００７４】
（２）数値実施例
次に、当該光学系の具体的数値を適用した数値実施例について説明する。表１に当該光学系のレンズデータを示す。表１において、「面Ｎｏ．」は物体側から数えたレンズ面の順番（面番号）、「ｒ」はレンズ面の曲率半径、「ｄ」はレンズ面の光軸上の間隔、「Ｎｄ」はｄ線（波長λ＝５８７．６ｎｍ）に対する屈折率、「νｄ」はｄ線に対するアッベ数をそれぞれ示している。また、表２は、表１に示した光軸上の可変間隔である。また、各条件式（１）〜条件式（９）の数値を表７に示す。なお、各表中の長さの単位は全て「ｍｍ」であり、画角の単位は全て「°」である。これらの表に関する事項は実施例２及び実施例３で示す各表においても同様であるため、以下では説明を省略する。
【００７５】
図２に当該光学系の無限遠合焦時の縦収差図をそれぞれ示す。それぞれの縦収差図は、図面に向かって左から順に、球面収差、非点収差、歪曲収差を表している。球面収差を表す図では、縦軸は開放Ｆ値との割合、横軸にデフォーカスをとり、実線がｄ線（波長λ=587.6ｎｍ）、破線がＣ線（波長λ=656.3ｎｍ）、一点鎖線がｇ線（波長λ=435.8ｎｍ）における球面収差を表す。非点収差を表す図では、縦軸は像高、横軸にデフォーカスをとり、実線がサジタル面、破線がメリジオナル面での非点収差を表す。歪曲収差を表す図では、縦軸は像高、横軸に％をとり、歪曲収差を表す。これらの縦収差図に関する事項は実施例２及び実施例３で示す各縦収差図においても同様であるため、以下では説明を省略する。
【００７６】
また、当該光学系の焦点距離（ｆ）、Ｆ値（Ｆｎｏ）、半画角（ω）は以下のとおりである。
ｆ    ＝８２．５００
Ｆｎｏ＝１．８２９
ω    ＝１４．８３５
【００７７】
【表１】
0006603459.tif 000002
【００７８】
【表２】
0006603459.tif 000003
【実施例２】
【００７９】
（１）光学系の構成
図３は、本件発明に係る実施例２の光学系の無限遠合焦時におけるレンズ構成を示すレンズ断面図である。当該光学系は、物体側から順に、正の屈折力を有する第１レンズ群Ｇ１と、負の屈折力を有する第２レンズ群Ｇ２と、正の屈折力を有する第３レンズ群Ｇ３とから構成されている。
【００８０】
第１レンズ群Ｇ１は、物体側から順に、正の屈折力を有するレンズＬ１と、正の屈折力を有するレンズＬ２と、負の屈折力を有するレンズＬ３及び正の屈折力を有する正レンズＬ４を接合した接合レンズと、から構成される。
第２レンズ群Ｇ２は、物体側から順に、物体側に凹面を向けた正の屈折力を有するレンズＬ５と、負の屈折力を有する両凹レンズＬ６とを接合した接合レンズにより構成される。
【００８１】
第３レンズ群Ｇ３は、物体側から順に、正の屈折力を有する物体側群Ｇ３ａと、開口絞りと、正の屈折力を有する像側群Ｇ３ｂと、から構成される。物体側群Ｇ３ａは、物体側から順に、物体側に凸面を向けた正の屈折力を有するレンズＬ７と、正の屈折力を有するレンズＬ８と、負の屈折力を有する両凹レンズＬ９と、から構成される。像側群Ｇ３ｂは、物体側から順に、負の屈折力を有するレンズＬ１０と、正の屈折力を有するレンズＬ１１と、物体側に凹面を向けた負の屈折力を有するレンズＬ１２及び正の屈折力を有するレンズＬ１３を接合した接合レンズと、像側に凸面を向けた正の屈折力を有するレンズＬ１４と、から構成される。
【００８２】
当該実施例２の光学系において、無限遠物体から近距離物体への合焦の際、第１レンズ群Ｇ１と第３レンズ群Ｇ３が光軸方向に固定された状態で、第２レンズ群Ｇ２が光軸に沿って像面ＩＭＧ側に移動する。また、手振れ等により撮像時に振動が発生した時には、防振群として、第３レンズ群Ｇ３の像側群Ｇ３ｂ中のレンズＬ１１を光軸と垂直な方向に動かすことで、像面ＩＭＧ上の像のブレを補正する。なお、実施例１と同様に、このレンズＬ１１以外のレンズを防振群としてもよいのは勿論である。
【００８３】
（２）数値実施例
次に、当該光学系の具体的数値を適用した数値実施例について説明する。表３は、当該光学系のレンズデータであり、表４は、表３に示した光軸上の可変間隔である。また、表７に条件式（１）〜条件式（９）の数値を示す。さらに、図４は、当該光学系の無限遠合焦時の縦収差図である。
【００８４】
また、当該光学系の焦点距離（ｆ）、Ｆ値（Ｆｎｏ）、半画角（ω）は以下のとおりである。
ｆ    ＝８２．５００
Ｆｎｏ＝１．８３０
ω    ＝１４．８３５
【００８５】
【表３】
0006603459.tif 000004
【００８６】
【表４】
0006603459.tif 000005
【実施例３】
【００８７】
（１）光学系の構成
図５は、本件発明に係る実施例３の無限遠合焦時におけるレンズ構成を示すレンズ断面図である。当該光学系は、物体側から順に、正の屈折力を有する第１レンズ群Ｇ１と、負の屈折力を有する第２レンズ群Ｇ２と、正の屈折力を有する第３レンズ群Ｇ３と、から構成されている。
【００８８】
第１レンズ群Ｇ１は、物体側から順に、正の屈折力を有するレンズＬ１と、正の屈折力を有するレンズＬ２と、負の屈折力を有するレンズＬ３及び正の屈折力を有するレンズＬ４を接合した接合レンズと、から構成される。
第２レンズ群Ｇ２は、物体側から順に像面側に凸面を向けた正の屈折力を有するレンズＬ５と、負の屈折力を有する両凹レンズＬ６とを接合した接合レンズにより構成される。
【００８９】
第３レンズ群Ｇ３は、物体側から順に、負の屈折力を有する物体側群Ｇ３ａと、開口絞りと、正の屈折力を有する像側群Ｇ３ｂと、から構成される。物体側群Ｇ３ａは、物体側から順に、物体側に凸面を向けた正の屈折力を有するレンズＬ７と負の屈折力を有する両凹レンズＬ８とを接合した接合レンズにより構成される。像側群Ｇ３ｂは、物体側から順に、正の屈折力を有するレンズＬ９と、負の屈折力を有する両凹レンズＬ１０と、正の屈折力を有する両凸レンズＬ１１及び負の屈折力を有する両凹レンズＬ１２を接合した接合レンズと、像側に凸面を向けた正の屈折力を有するレンズＬ１３と、から構成される。
【００９０】
当該実施例３の光学系において、無限遠物体から近距離物体への合焦の際、第１レンズ群Ｇ１と第３レンズ群Ｇ３が光軸方向に固定された状態で、第２レンズ群Ｇ２が光軸に沿って像面ＩＭＧ側に移動する。また、手振れ等により撮像時に振動が発生した時には、防振群として、第３レンズ群Ｇ３の像側群Ｇ３ｂ中のレンズＬ１３を光軸と垂直な方向に動かすことで、像面ＩＭＧ上の像のブレを補正する。なお、実施例１と同様に、このレンズＬ１３以外のレンズを防振群としてもよいのは勿論である。
【００９１】
（２）数値実施例
次に、当該光学系の具体的数値を適用した数値実施例について説明する。表５は、当該光学系のレンズデータであり、表６は、表５に示した光軸上の可変間隔である。また、表７に条件式（１）〜条件式（９）の数値を示す。さらに、図６は、当該光学系の無限遠合焦時の縦収差図である。
【００９２】
また、当該光学系の焦点距離（ｆ）、Ｆ値（Ｆｎｏ）、半画角（ω）は以下のとおりである。
ｆ    ＝１１３．０００
Ｆｎｏ＝１．４５６
ω    ＝１０．６３２
【００９３】
【表５】
0006603459.tif 000006
【００９４】
【表６】
0006603459.tif 000007
【００９５】
【表７】
0006603459.tif 000008
【産業上の利用可能性】
【００９６】
本件発明によれば、小型の撮像システムに好適な小型、高性能、且つ、大口径の光学系及び撮像装置を提供することができる。
【符号の説明】
【００９７】
Ｇ１  ・・・第１レンズ群
Ｇ２  ・・・第２レンズ群
Ｇ３  ・・・第３レンズ群
Ｇ３ａ・・・物体側群
Ｇ３ｂ・・・像側群
Ｓ    ・・・開口絞り
ＣＧ  ・・・カバーガラス
ＩＭＧ・・・像面
【図１】
0006603459.tif 000009
【図２】
0006603459.tif 000010
【図３】
0006603459.tif 000011
【図４】
0006603459.tif 000012
【図５】
0006603459.tif 000013
【図６】
0006603459.tif 000014